(57)【要約】  表面（３０）に接着し、かつ、物体（３４）のポケット（２２）内への挿入及び該ポケットからの取出しのために表面（３０）とステッカー（１０）との間にポケット（２２）を組み込むための接着剤が裏に付されたステッカー（１０）。ステッカー基板（１０）には、第１部分（１２）と、該第１部分と自身の間に折り目線（１８）を有するフラップ部分（１４、１６）と、が設けられる。接着剤（３２）は背面（１２ｂ、ｌ４ｂ、ｌ６ｂ）の少なくとも一部に設けられる。接着剤（３２）は、裏面（１２ｂ、ｌ４ｂ、ｌ６ｂ）の少なくとも一部に設けられ、フラップ部分（１４、１６）を折り目線（１８）で折り曲げる際、フラップ部分（１４、１６）の裏面（１４ｂ、ｌ６ｂ）は第１部分（１２）の裏面（１２ｂ）の一部に接着される。ステッカーの基板（１０）が装着面（３０）に貼付される場合、ポケット（２２）は、第１部分（１２）に接着されたフラップ部分（１４、１６）の少なくとも一部に斉合されて、ステッカー基板（１０）と装着面との間に形成される。こうして形成されたポケット（２２）は折り目線（１８）以外の全周辺（２０）周りで境界づけ得るか、あるいは貫通ポケットとし得る。ポケット手段（２２）を具備する接着剤が裏に付された１つ以上のステッカーと、ステッカー・ポケット内に挿入すべくその少なくとも一部に寸法づけられた１つ以上の非接着性物体（３４）と、を含むステッカー・キットも設けられる。
2006528792.tif 000002
【特許請求の範囲】
【請求項１】
装着表面に接着し、かつ該装着表面にポケットを形成する、接着剤裏付けステッカーであって、
第１部分と、前記第１部分と自身の間の折り目線を有する該第１部分に隣接する少なくとも１つのフラップ部分と、を具備するステッカー基板と、
正面及び裏面の各々は第１部分及びフラップ部分を具備し、
前記裏面の各々は前記ステッカー基板の少なくとも一部を装着面に接着するための接着剤を含み、
少なくとも１つの前記フラップ部分は該フラップ部分の裏面を前記第１部分の裏面に接着し、かつ、これにより、前記ステッカー基板と前記装着面との間に、フラップ部分の少なくとも一部と斉合するポケットを形成するために前記折り目線で折り曲げ可能である接着剤裏付けステッカー。
【請求項２】
複数の前記フラップ部分を備える、請求項１のステッカー。
【請求項３】
少なくとも１つの前記フラップ部分は前記第１部分の周辺から離れた前記折り目線から第１方向に延在し、
前記フラップ部分を前記折れ目線に沿って折リ曲げる際、前記第１部分は、少なくとも、前記第１方向に直角な方向にある前記ポケットを越えて延在する、請求項１のステッカー。
【請求項４】
前記第１部分は前記第１方向と反対の方向にある前記ポケットを越えて延在する
これにより、前記第１部分の裏面は前記折り目線以外の前記ポケットの周辺周りの前記装着面に接着されるように構成される、請求項３のステッカー。
【請求項５】
複数の前記フラップ部分を備える、請求項４のステッカー。
【請求項６】
前記フラップ部分を前記折り目線に沿って折り曲げる際、前記第１部分は該第１部分と反対の方向に前記フラップ部分と同一の広がりがあり、これにより、形成した前記ポケットは貫通ポケットである、請求項３のステッカー。
【請求項７】
複数の前記フラップ部分を備える、請求項６のステッカー。
【請求項８】
少なくとも１つの前記フラップ部分は前記第１部分の周辺内に位置し、及び前記フラップ部分の周辺は前記折り目線及びダイカット線によって画定される、請求項１のステッカー。
【請求項９】
複数の前記フラップ部分を備える、請求項８のステッカー。
【請求項１０】
前記フラップ部分を前記折り目線に沿って折り曲げる際、前記第１部分の周辺内に空隙が形成され、
前記ステッカーは前記空隙を充填するように寸法づけられたステッカー・インサートを更に備える、請求項８のステッカー。
【請求項１１】
少なくとも１つの前記フラップ部分は、前記第１部分の周辺内に位置する第１対向フラップ部分対を含み、
各々はそれぞれの前記折り目線から前記対の他のフラップ部分と反対の方向に延在し、これにより、物体の対向する端部を受容するために前記ステッカー基板を前記装着面に接着する際、対向するポケットが形成される、請求項８のステッカー。
【請求項１２】
前記第１部分の周辺内に位置する第２対向フラップ部分対を更に備え、
各々はそれぞれの前記折り目線から前記対の他のフラップ部分と反対の方向に延在し、
前記第１及び第２対は、前記ステッカー基板を前記装着面に接着する際、四辺形物体から成るそれぞれの対向する到来部を受容するように位置づけられる、請求項１１のステッカー。
【請求項１３】
前記ステッカー基板は第１部分の対向する端部に隣接する２つのフラップ部分を含み、
各々のフラップ部分は前記第１部分の幅より大きな幅まで延在し、
２つのポケットを形成すべくそれぞれの前記折り目線に沿って２つの前記フラップ部分を折り曲げる際、前記ポケットを越えて延在する２つの前記フラップ部分の裏面は、物体を前記裏面に接着するために露出した前記ポケット間の前記第１部分の裏面を有する前記装着面に接着されるように構成され、これにより、形成した前記ポケットは貫通ポケットである、請求項１のステッカー
【請求項１４】
前記接着剤は前記ステッカーを前記装着面に永久接着するように構成された永久接着剤である、請求項１のステッカー。
【請求項１５】
前記接着剤は熱で活性化される、請求項１４のステッカー。
【請求項１６】
前記接着剤は前記ステッカーを前記装着面に解放可能に接着するように構成される非永続接着剤である、請求項１のステッカー。
【請求項１７】
前記ステッカー基板はリリース・ライナーに解放可能に接着される、請求項１のステッカー。
【請求項１８】
請求項１の接着剤裏付けステッカーと、前記ステッカー基板を前記装着面に接着する際に、前記ステッカー基板と前記装着面との間の前記ポケットによって着脱自在に受容されるように寸法づけられた少なくともその一部を有する少なくとも１つの非接着性物体と、を備えるステッカー・キット。
【請求項１９】
少なくとも１つの前記フラップ部分は複数のポケットを構成する複数のフラップ部分を含み、複数の前記ポケットによって着脱自在に受容されるように寸法づけられた複数の前記非接着性物体を更に備える、請求項１８のステッカー・キット。
【請求項２０】
前記非接着性物体は別の物体を受容する手段を含む、請求項１８のステッカー・キット。
【請求項２１】
少なくとも１つの前記フラップ部分は前記第１部分の周辺から離れた前記折り目線から第１方向に延在し、
前記フラップ部分を前記折り目線に沿って折り曲げる際、前記第１部分は、前記第１方向及び該第１方向とは反対の方向に直角な方向にある前記ポケットを越えて延在し、これにより、前記第１部分の裏面は、前記物体の何れかの残部が前記第１部分の周辺から前記第１方向に突出した状態で、前記物体の一部を内部で包囲するために前記折り目線以外の前記ポケットの周辺周りの前記装着面に接着されるように構成される、請求項１８のステッカー・キット。
【請求項２２】
少なくとも１つの前記フラップ部分は、前記第１部分の周辺から離れた前記折り目線から第１方向に延在し、
前記折り目線に沿って前記フラップ部分を折り曲げる際、前記第１部分は前記第１方向に直角な方向にあるポケットを越えて延在し、かつ前記第１部分は前記第１方向と反対の方向に前記フラップ部分と同一の広がりがあり、これにより、形成された前記ポケットは、前記物体の一部が延在し得る貫通ポケットである、請求項１８のステッカー・キット。
【請求項２３】
少なくとも１つの前記フラップ部分は前記第１部分の周辺内に位置し、かつ前記フラップ部分の周辺は前記折り目線及びダイカット線によって画定される、請求項１８のステッカー・キット。
【請求項２４】
前記フラップ部分を前記折り目線に沿って折り曲げる際、前記第１部分の周辺内に空隙が形成され、
前記ステッカー・キットは前記空隙を充填するように寸法づけたステッカー・インサートを更に備える、請求項２３のステッカー・キット。
【請求項２５】
前記ステッカー基板はリリース・ライナーに解放可能に接着される、請求項１８のステッカー・キット。
【請求項２６】
請求項１の接着剤裏付けステッカー対と、前記ステッカー基板を前記第１面及び前記装着面に接着する際、前記ステッカー基板と前記装着面との間に形成された前記ポケットによって受容されるように寸法づけられた、対向する端部部分を具備する少なくとも１つの非接着性物体と、を備えるステッカー・キット。
【請求項２７】
対向する前記端部部分は鉛直方向に延在し、これにより、前記キットは、前記物体が前記第１装着面を前記第２装着面に対して直角に支持するようにこれらの装着面間に延在するように構成された状態で、前記ステッカーをそれぞれの鉛直な第１及び第２装着面に接着するように構成される、請求項２６のステッカー・キット。
【請求項２８】
前記ステッカー基板はリリース・ライナーに解放可能に接着される、請求項２６のステッカー・キット。
【請求項２９】
請求項１の接着剤裏付けステッカーと、第１接着面、及び、前記ステッカー基板を前記装着面に接着する際、前記ステッカー基板と前記装着面との間の前記ポケットによって受容されるように寸法づけられた該第１接着面からの突出部を具備する第２面、を有する少なくとも１つの物体と、を備え、これにより、別の装着面に接着する際、前記物体は前記装着面を接続するように構成されたステッカー・キット。
【請求項３０】
前記ステッカー基板はリリース・ライナーに解放可能に接着される、請求項２９のステッカー・キット。
【請求項３１】
装着表面に接着し、かつ該装着表面にポケットを形成する接着剤裏付けステッカーであって、
第１部分と、前記第１部分と自身との間に折り目線を具備する、前記第１部分に隣接する少なくとも１つのフラップ部分と、を具備し、前記第１部分及び前記フラップ部分の各々は正面及び裏面を具備する、ステッカー基板と、
前記フラップ部分の裏面の少なくとも一部上、及び前記第１部分の裏面の第１領域及び前記第１部分の裏面の第２領域の少なくとも一部上の接着剤と、
少なくとも１つの前記フラップ部分は、前記フラップ部分の裏面を前記第１部分の裏面の前記第１領域に接着し、かつ、前記第１部分の裏面の前記第２領域が前記装着面に接着される際、前記フラップ部分と斉合させて前記ステッカー基板と前記装着面の間にポケットを形成するように、前記折り目線で折り曲げ可能であるステッカー。
【請求項３２】
前記接着剤は前記第１部分の裏面の第１領域上全体にあり、前記フラップ部分の裏面には接着剤がない、請求項３１のステッカー。
【請求項３３】
前記接着剤は前記第１部分の裏面の前記第２領域上全体にある、請求項３２のステッカー。
【請求項３４】
前記接着剤は前記第１部分の裏面の前記第２領域上全体にある、請求項３１のステッカー。
【請求項３５】
少なくとも１つの前記フラップ部分は前記第１部分の周辺から離れた前記折り目線から第１方向に延在し、
前記フラップ部分を前記折り目線に沿って折り曲げる際、前記第１部分は、前記第１方向及び該第１方向に直角な方向にある前記ポケットを越えて延在し、これにより、前記第１部分の裏面の前記第２領域は前記折り目線以外の前記ポケットの周辺周りで前記装着面に接着されるように構成される、請求項３１のステッカー。
【請求項３６】
少なくとも１つの前記フラップ部分は前記第１部分の周辺から離れた前記折り目線から第１方向に延在し、
前記フラップ部分を前記折り目線に沿って折り曲げる際、前記第１部分は前記第１方向に直角な方向にある前記ポケットを越えて延在し、かつ第１部分は前記第１方向と反対の方向に前記フラップ部分と同一の広がりがあり、これにより、形成した前記ポケットは貫通ポケットである、請求項３１のステッカー。
【請求項３７】
少なくとも１つの前記フラップ部分は前記第１部分の周辺内にあり、及び前記フラップ部分の周辺は前記折り目線及びダイカット線によって画定される、請求項３１のステッカー。
【請求項３８】
前記接着剤は前記ステッカーを前記装着面に永久接着するようにした永久接着剤である、請求項３１のステッカー。
【請求項３９】
前記接着剤は前記ステッカーを前記装着面に着脱自在に接着するように構成された非永久接着剤である、請求項３１のステッカー。
【請求項４０】
前記ステッカー基板はリリース・ライナーに解放可能に接着される、請求項３１のステッカー・キット。
【請求項４１】
請求項３１に記載の接着剤裏付けステッカーと、前記ステッカー基板を前記装着面に接着する際、前記ステッカー基板と前記装着面との間の前記ポケットによって着脱自在に受容されるように寸法づけられた、少なくともその一部を具備する少なくとも１つの非接着性物体と、を備えるステッカー・キット。
【請求項４２】
少なくとも１つの前記フラップ部分は複数のポケットを構成する複数のフラップ部分を含み、
複数の前記ポケットによって着脱自在に受容されるように寸法づけられた複数の前記非接着性物体を更に備える、請求項４１のステッカー・キット。
【請求項４３】
前記ステッカー基板はリリース・ライナーに解放可能に接着される、請求項４１のステッカー・キット。
【発明の詳細な説明】
【技術分野】
【０００１】
本発明は、ステッカー基板と、ステッカーが接着される表面との間で１つ以上のポケットが形成された接着性ステッカー、及び１つ以上のこうしたステッカーと、単数又は複数のポケット内に挿入するための１つ以上の物体を含むステッカー・キットに関する。
【背景技術】
【０００２】
ステッカーは、情報ラベル、子供の遊戯ステッカー、及びこれらの間の多くの用途を含む、広範囲な用途を有する。幾つかのラベルは、装着面に永久接着又は実質的に永久接着される一方で、他のステッカーは、ステッカーを装着面に削除可能にし、かつ再接着可能にする接着剤を含む。こうした接着剤は当該分野では周知である。ステッカーは、ステッカー基板を所望の形状にダイカットする段階と、ステッカーの表面に所望のマーキングを印刷する段階と、接着剤をステッカーの裏面に塗布する段階と、ステッカー接着側をリリース・ライナー上に配置する段階と、を含む連続工程によって大量生産し得る。その後、消費者はその解放ライナーからステッカーを取り除き、かつ所望の面上に該ステッカーを配置することができる。ステッカーのための莫大に広範な用途を鑑みれば、ステッカー構成への何れかの改良は多くの産業界における大きな利益を有し得る。従って、ステッカーの有用性を増大させるためにステッカーの構成に改良を与える必要がある。
【発明の開示】
【課題を解決するための手段】
【０００３】
本発明は、物体をポケット内に挿入し、かつ該ポケットから取り外すことができるように、表面に配置された時、表面とステッカーとの間にポケットを組み込む接着剤基ステッカーを提供する。この目的のために、ステッカー基板には、第１部分及び第２部分、これらの部分間に折れ目線を有する第１部分に隣接する、フラップ部分が設けられる。接着剤が裏面の少なくとも一部上に共され、その結果、フラップ部分を折れ目線で折り曲げる際、フラップ部分の裏面が第１部分の裏面の一部に接着される。ステッカー基板が装着面に貼付される場合、ステッカー基板と、フラップ部分の少なくとも一部と斉合される装着面との間、特に、フラップ部分が第１部分に接着される部分に、ポケットが形成される。本発明の一実施形態では、フラップ部分は第１部分の周辺から離れた折り目線から延在し、その結果、フラップ部分を第１部分に接着する際、ステッカーのエッジ又は周辺に隣接してポケットが形成される。こうして形成されたポケットは、折り目線以外の全周囲周りで境界付け得るか、あるいは貫通ポケットとし得る。本発明の別の実施形態では、ダイカット線の使用によって、フラップ部分は第１部分の周辺内にも位置し得る。その結果、折り目線でフラップ部分を折り曲げる際、ステッカー周辺内にポケットが形成される。本発明のステッカーはポケットを形成するために１つ又は複数のフラップ部分を含み得る。
【０００４】
本発明は、上述したような接着剤裏付けステッカーを備え、ステッカーを表面に接着する際に形成されたポケット内に挿入されるべくその少なくとも一部に寸法づけられた１つ以上の非接着性物体を更に含む、ステッカー・キットを更に提供する。本発明によれば、物体受容ポケットが容易に形成されて多くの物品を保持するためにステッカーを使用可能にする。
【０００５】
本願明細書に援用され、かつその一部を構成する添付図面は以下の本発明の全体的な記載と共に、本発明の実施形態、及び本発明を説明するために役立つ以下の詳細な説明を説明する。
【発明を実施するための最良の形態】
【０００６】
本発明は、永久又は解放可能なタイプの接着剤の何れかを具備する接着剤裏付けステッカーを提供する。ステッカー基板はその周辺周り又はその周辺内で１つ以上のフラップ部分を組み込むようにダイカットされる。これらの部分は、ステッカーが壁のような装着面に接着される際に、表面とフラップとの間にポケットが形成されるようにフラップをステッカー基板の裏面の一部に接着すべく折り目線に沿って折り曲げ可能である。その後、所望に応じて、非接着性物体はポケット内に挿入され、かつ該ポケットから削除することができる。本発明は、類似した参照符号が類似する部品を引用する図面全体に亘って使用される図面を参照すれば最も良く理解し得る。
【０００７】
図１Ａは、ステッカーの主要部分を構成する第１部分１２、第１部分１２に隣接して自身との間に折れ目線１８を有するフラップ部分１４、１６を具備するステッカー又はステッカー基板１０の斜視図である。第１部分１２は表面１２ａ及び裏面１２ｂを具備し、かつフラップ部分１４、１６は同様に表面１４ａ、１６ａ及び裏面１４ｂ、１６ｂをそれぞれ具備する。裏面１２ｂ、１４ｂ及び１６ｂを含むステッカー基板１０の裏面の少なくとも一部は接着剤で被覆され、かつステッカー基板１０はリリースライン４２に着脱自在に接着されると有利である。
【０００８】
図１Ｂはライナー４２から取り外し、かつ、フラップ部分１４、１６と斉合させてポケット２２、２４を形成するためにそれぞれの折り目線１８に沿って折り曲げられたフラップ部分１４、１６と、フラップ部分１４、１６が接着される第１部分１２の部分と、を具備するステッカー基板１０の斜視図を描く。フラップ部分１４は第１部分１２の周辺２０から離れた折り目線１８から第１方向に延在する。フラップ部分１４が折り曲げられてポケット２２を形成する際、第１部分１２は第１方向に直角な方向、並びに第１方向と反対の方向でポケット２２を越えて延在し、その結果、ステッカー基板１０を装着面３０に接着する際、ポケット２２は折れ目線１８以外のポケット２２の周辺２３周りで境界づけられる。フラップ部分１６は第１部分１２の周辺２０内に設置される。フラップ部分１６の周辺２５は折り目線１８及びダイカット線１９によって画定される。フラップ部分１６が折り曲げられてポケット２４を形成する際、第１部分１２はダイカット線１９によって画定されたフラップ部分１６の周辺２５の一部周りでポケット２４を越えて延在し、この結果、ステッカー基板１０を装着面３０に接着する際、ポケット２４は折り目線１８以外のポケット２４の周辺２５周りで境界づけられる。図１Ｂはステッカー基板１０に設け得る、別個のステッカー・インサート２８を更に描いたものであり、インサート２８は裏フラップ部分１６を折り曲げることによって形成された空隙を充填するように寸法づけられる。従って、ステッカー基板１０の表面１２ａはグラフィックを含み、インサート２８はグラフィック内の空隙を阻止するために使用し得る。
【０００９】
図１Ｃは、ステッカー基板１０が装着面３０に貼付された状態の、図１Ｂの線１Ｃ−１Ｃに沿って切断したステッカー基板１０の横断面図である。裏面１２ｂ、１４ｂ及び１６ｂは自身上に接着剤を含む。フラップ部分１４の裏面１４ｂの接着剤及び第１部分１２の裏面１２ｂの第１領域の接着剤はフラップ部分１４を第１部分１２の第１領域に接着する。同様に、裏面１６ｂ及び第１部分１２の裏面１２ｂの別の第１領域はフラップ部分１６を第１部分１２に接着する。第１部分の裏面１２ｂの第２領域の接着剤はステッカー基板１０を装着面３０に接着する。ポケット２２内で、フラップ部分１４の表面１４ａは装着面３０に対しており、かる自身上に接着剤は含まない。その結果、物体３４は図示するように、ポケット２２内に挿入し得る。同様にして、フラップ部分１６の裏面１６ａは自身上接着剤無しに装着面３０に対して別の物体３４をポケット２４内に挿入可能にする。、折り目線１８に形成された半径部は物体３４のポケット２２又は２４内への容易な挿入を支援する。図１Ａ及び図１Ｂはフラップ部分１４の丸めたエッジ２１及びフラップ１６に対するダイカット線１９の延伸され丸められたエッジ１９ａを更に示す。フラップ部分１４及び１６が折り目線１８で折り曲げられる際、半径付けされたエッジ１９ａ、２１はポケット２２及び３４に対する応力を緩和する利点を与える。結果として、物体３４はポケット２２及び２４内に挿入され、かつこれらのポケットから取り除かれ、ステッカー基板１０は隅部で破断し難い。
【００１０】
図２Ａは、車を示し、かつステッカー基板１０の周辺２０から離れた折り目線１８から延在する第１部分１２及びフラップ部分１４を具備する玩具ステッカー基板１０を斜視図で描いたものである。図２Ｂは、ポケット２２を形成するために接着剤（図示せず）によってその裏面１４ｂを第１部分１２の裏面１２ｂの一部に接着すべく折り目線１８に沿って折り曲げられたフラップ部分１４を描いたものである。車の運転者を例示する薄いボール紙部片のような物体３４は、ポケット２２内に受容されように寸法づけられた部分３６を有する。図２Ｃは装着面３０に接着されたステッカー基板１０及びポケット２２内に挿入されたその部分３６を具備する物体３４を描いたものである。本発明によれば、フラップ部分１４と、フラップ部分１４が接着される第１部分１２の一部と、に斉合される、装着面３０とステッカー基板１０との間に形成されたポケット２２内で一つの物体３４から別の物体３４に変更可能にするために、異なる人のような、複数の物体３４を具備するようにキットを設け得る。同様に、このキットは、物体３４が一つのポケット２２から別のポケット２２まで移動し得るように内部に形成されたポケット２２を具備する１つ以上のステッカー１０を設け得る。接着剤３２は、永久接着剤が所望されない壁又は他の物体上のステッカーで子供が遊ぶことを可能とするための、当該分野では周知の、着脱自在な接着剤とし得る。
【００１１】
図３は、絵、カード等を装着するためのステッカー基板１０に関する本発明の実施形態を斜視図で描いたものである。ステッカー基板１０の左側に示すように、対向する一対のフラップ部分１６が第１部分１２９の周辺２０内に設置され、各々がそれぞれの折り目線１８から対内の他のフラップ部分と反対の方向に延在する。その結果、フラップ部分１６を折り返し、かつステッカー基板１０を装着面３０に接着する際に、対向するポケット２４が物体３４の対向する端部を受容するように形成される。ステッカー基板の右側に示すように、２対の対向するフラップ部分１６が第１部分１２の周辺内に設置され、各フラップ部分１６は、そのそれぞれの折り目線１８から、対内の他のフラップ部分１６と反対方向に延在し、及び２対は、フラップ部分１６を折り曲げ、かつステッカー基板１０を装着面３０に接着する際に正方形又は矩形写真のような四辺形物体３４のそれぞれの対向する隅部を受容するように位置づけられる。従って、写真、カード等はステッカー基板１０に形成されたポケット２４によって端部に装着又は隅部に装着し得る。図３に示すようなタイプのステッカー基板１０は、絵を冷蔵庫、ファイル・キャビネット、引き出し机、コンピュータ、壁等に表示するために磁石で適所に使用することができる。ステッカー基板には、例えば、絵フレームボーダー又は休日カードを表示するための休日テーマを供するために、第１部分１２の表面１２ａ上に（図示しない）装飾プリントも設け得る。
【００１２】
図４は、スッテカー基板１０の周辺内に形成された複数のポケット２４を具備する本発明のスッテカー基板１０の実施形態を斜視図を描いたものである。例えば、毎月のカレンダーは第１部分１２の表面１２ａ上に印刷し得る。その結果、残部又はリスト又は他の物体３４は週の初め又は終りをポケット内に配置し得る。本発明のスッテカー１０を使用する別の例は、表面１２ａに印刷された５０州及び州の２５セント硬貨を受容する各州に対応するポケット２４を具備する硬貨収集ステッカー基板１０である。
【００１３】
図５は装着面３０に接着し得るステッカー基板１０を具備する本発明のステッカー・キットを斜視図で描いたものである。これは髪止めピンとして図示されている。物体３４はステッカー基板１０の周辺内に形成されたポケット２４内に挿入するように寸法づけられたその一部３６を具備する。このキットでは、変更可能な髪止めステッカーの構成及び／又は色を装飾リボンに合致可能にするために、複数のこれらのステッカー基板１０及び物体３４を設け得る。
【００１４】
図６は服３０に貼付されたアイロン付織物ステッカー１０の平面図を描いたものである。本発明のアイロン付織物ステッカー１０は、織物ステッカー１０を服３０のＴシャツ又は他の物品に貼付するために第１部分１２の裏面（図示せず）に熱で活性化された接着剤を有する。織物ステッカー１０の周辺２０内に形成されたポケット２４は物体３４の一部３６をＴシャツ３０に形成されたポケット２４内に挿入することを可能にし得る。
【００１５】
図７Ａはステッカー基板１０の周辺２０内に複数のポケット２４を形成するために折り返された複数のフラップ部分１６を具備するステッカー基板１０の斜視図を描いたものである。ステッカー基板１０を具備するキット１０を設け得る。複数のポケット３４内に挿入するように寸法づけられた少なくとも一部３６を具備する１つ以上の物体３４を更に含む。物体３４は薄くし得るが、本発明は、ポケット２４内にぴったりと嵌るように寸法づけられた物体３４の一部３６を有する、図７Ｂに示すような３次元物体３４も熟慮する。図示するように、第１部分１２の表面１２ａには遊戯シーンを子供に供するために印刷されたグラフィックが形成される。物体３４はポケット２４によってシーンの一つの位置から別の位置まで動かし得る。
【００１６】
図８Ａ及び図８Ｂはフラップ部分１６を折り曲げることによって形成されたポケット２４を具備する本発明のステッカー基板１０を組み込んだ教育キットの一部を斜視図で描いたものである。図８Ａでは、ステッカー基板１０にはアルファベット（図８Ａには文字Ａ及びＢのみ）の各文字に対して設けられる。物体３４は、子供が物品が物体３４に関することを決定し得るように種々の物品を描いて設けられ、かつ物体３４の一部３６を物品の最初の文字に対応する文字を自身上に具備するステッカー基板１０のポケット２４内に挿入する。あるいは、図８Ｂに示すように、物品の文字を綴る文字を受容するためにステッカー基板１０に形成された適切な数のポケット２４を具備して、物品はステッカー基板１０に描き得る。さらに、図示していないが、自身上に物品を描く図８Ｂのステッカー基板１０は、物体３４の一部３６が図８Ａのキットの適切なポケット２４内に挿入し得るように、それ自体、非接着性物体３４に接着し得る。従って、本発明のステッカー基板１０はポケット２４に物体２４を配置することによって子供の小型車の知識を褒める利益を更に有する教育活動キットで使用し得る。
【００１７】
図９は対向するフック・アクセサリーのようなポケット２４内に受容されるように寸法づけられた対向する端部部分３６ａ、３６ｂを具備する一対のステッカー１０及び非接着性物体３４を具備するステッカー・キットを描いたものである。使用時に、ステッカー基板１０の１つは壁又は他の装着面３０に接着し得る。第２ステッカー基板１０は装着面３０上に吊されるべく物品３８に接着される。図示するように、ポケット２４が対向するフック・アクセサリーの対向する端部部分３６ａ、３６ｂを受容する対向するポケット２４であるように吊るされるべく、ステッカー１０は装着面３０及び物品３８上に位置づけられる。
【００１８】
図１０及び図１１は本発明のステッカー基板の更なる用途を斜視図で描いたものである。図１０では、装着面３０から物体３４を吊るすためにポケット２４内に挿入された端部フック部分３６を有する。物体を吊るすこの実施形態では、力又は荷重は真っ直ぐに降下するため、より重い物体は支持し得る。例えば、端部フック部分３６を設けた雪ショベルはこれに接着された本発明のステッカー基板１０によってガレージ壁３０から吊るしてもよい。図１１では、物体３４の一部３５はポケット２４内に挿入される。物体２４は装着面３０から外向きに延在し、かつ物品３８を吊るすための手段３７を含む。例えば、手段３７はスロット、フック又は何れか他の周知の取付手段を含み得る。この実施形態はより重い物体を吊るすために効果的なものとし得るが、図１０の実施形態より更に別の実施形態を供する。ステッカー基板１０及び物体３４は、例えば、図示するように歯ブラシホルダー、あるいは車のキーを吊るすためのキーリングホルダーとして使用し得る。
【００１９】
図１２は本発明の一対の接着剤裏付けステッカー１０と、ポケット２４によって受容するように寸法づけられた対向する端部部分３６ａ、３６ｂを具備する非接着性物体３４と、を具備するステッカー・キットを斜視図で描いたものである。物体３４は壁又は他の装着面３０から更に外向きに支持部を片持ち支持することを許容する。物体３４上の巻きつけたリップ３９は物体３４がステッカー基板１０を装着面３０に無理に押し込まないように保持するためにより多くの力を伝える。
【００２０】
図１３は一対のステッカーを具備する本発明のステッカー・キットの斜視図を描いたものであり、これらの一つは鉛直な装着面３０ａに接着され、及び、これらの一つは鉛直な装着面３０ａから延在する水平な装着面３０ａの下側に接着される。物体３４は、互いに対して直角な方向に延在する対向する端部部分３６ａ、３６ｂを具備して設けられる。その結果、水平な装着面３０ｂを鉛直装着面３０ａに対して補強するために、一方の端部３６ａは鉛直装着面３０ａ上のポケット２４に挿入可能であり、他方の端部３６ｂは水平な装着面３０ｂ上のポケット２４に挿入可能である。
【００２１】
図１４はステッカーの基板１０の周辺２０内で２つのフラップ部分１６を具備し、これらそれぞれの折り目線１８から反対方向に延在し、及びフラップ延在方向に対して直角方向に互いに間隔を置いて配置される、本発明のステッカー・キットの斜視図を描いたものである。細長物体３４が上向きに延在する一方のタブ部分３６ａと、細長物体３４から下向きに延在する別のタブ部分３６ｂと、を具備するキットに設けられる。その結果、タブ部分３６ａ、３６ｂをそれぞれのポケット２４内に挿入する際、物品３８はステッカー基板１０の周辺２０を越えて吊るし得る。
【００２２】
図１５は、物品３８を装着面３０に接続することによって鉛直に配向するか又は鉛直に積み重ねた物品３８を安定化させるために本発明のステッカー１０を使用する斜視図を描いたものである。単数又は複数のステッカー基板１０が装着面３０に接着される際に、１つ以上のポケット２４を形成するために１つ以上のフラップ部分１６を具備する、本発明の１つ以上のステッカー基板１０が提供される。１つ以上の物体３４が鉛直な物品３８の表面、有利にはその裏面３８ａ上の物品３８の頂部に向かって接着される。１つ以上の物体３４には、ステッカー基板１０のポケット２４内に挿入するように寸法づけられたフック部分３６が設けられる。例えば、背の高いドール・ハウス、ＣＤケース、単一の鉛直な物体及び積み重ね可能な物体を壁に固定するために図１５のステッカー・キットを使用し得る。
【００２３】
図１〜図１５の実施形態では、折り目線１８以外のポケット２２、２４の全体周辺２３、２５の周りの境界づけられるようにポケット２２、２４が設けられる。図１６Ａ及び図１６Ｂは、ステッカー基板１０の第１部分１２がフラップ部分１４が折り目線１８から延在する方向に直角な方向にあるポケッ４０を越えて延在した状態の、実質的に開放端部ループである、貫通ポケット４０が形成される別の実施形態を描く。フラップ部分延在方向と反対の方向には、フラップ部分１４がポケット４０を形成するために折り曲げられる際に、フラップ部分１４を越えて延在しない。従って、想像線で示すように、両方とも、折り目線１８に隣接し且つ折り目線１８と反対のポケット４０に隣接するステッカー基板１０の周辺２０から延在するように、物体３４は貫通ポケット４０内に挿入し得る。鉛直貫通ポケット４０を形成することを図示したが、ステッカー基板１０は水平又は角度が付された貫通ポケット４０を形成するために装着面３０に接着し得ることが理解し得る。同様に、フラップ部分１４、１６は図示された方向から貫通ポケット４０の方向を変更するように位置づけ得る。
【００２４】
図１７Ａ−図１７Ｃはステッカー基板１０内に貫通ポケットを形成するための別の実施形態を描いたものである。ステッカー基板１０は、２つのフラップ部分１４の中間に第１部分１２を有するように”Ｈ”パターンにダイカットされ、第１部分１２の幅はフラップ部分１４の幅より小さく、かつフラップ部分１４は両方向に主部分１２の幅を超えて延在する。ポケット４０を形成するために、ステッカー基板１０はリリース・ライナー４２から取り外される。両方のフラップ部分１４は裏面」１４ｂの一部を裏面１２ｂの一部に接着するために折り返される。結果として得られるステッカー基板１０が図１７Ｂに示されている。貫通ポケット４０を形成するために、ステッカー基板１０は、第１部分の露出した裏面１２ｂを図１７Ｃに示すように露出した状態のままで、フラップ部分１４の露出した裏面１４ｂを装着面３０に接着することによって、装着面３０に接着される。整合された貫通ポケット４０は物体３４が貫通ポケット４０を貫通して、及び第１部分１２の背後に挿入し得るように形成される。第１部分の露出した裏面１２ｂは残部の特徴のような(such as reminder notes)物体３４をステッカー基板１０上に軽く留めるために使用し得る。
【００２５】
上述した図面は本発明のステッカー１０の種々の用途のサンプルを描いたものであるが、図面に描いた用途は本発明の全ての用途を含むものではない。これに対して、本発明のステッカー１０及びステッカー・キットの多くの用途は想像し得る。内部に形成されたポケット２２、２４及び／又は４０を具備する本発明のステッカー１０は、子供、及び大人のための、例えば、広範な玩具、ゲーム、業務、本、クラフト、ステッカー遊戯及びスクラップ・ブッキングで使用し得る。本発明のステッカー・ポケットは家庭、事務所及び学校組織でも使用し得る。ステッカー・ポケットの季節用途は、アイロン付織物ポケットの使用によって休日シャツを形成するためのクリスマス・カード又はストッキングを吊るすように行い得る。内部に形成されたポケット２２、２４及び／又は４０を具備する本発明のステッカー１０は地図、ペン又は他の物品、人体装飾等のような指示シートを保持する医療ボトルのような医薬品のための車両におけるケース管理のために医療ファイル又は他のタイプのファイルで使用し得る。従って、本発明の接着剤付裏面ステッカーを貼付し得る装着面３０は壁のような面、家具、家庭用電気器具、写真アルバム又はスクラップブック頁、ファイルホルダー、ボトル、箱、人体、織物等のような例示のみによって変更され、かつこれらを含み得る。
【００２６】
有利なことに、本発明のステッカー基板１０は図１Ａに示すようなリリース・ライナー４２が設けられる。使用に際して、ステッカー基板１０は、その後、ライナー４２、これらを第１部分１２に接着するために折り返されたフラップ部分１４及び／又は１６、及び、ポケット２２、２４及び／又は４０を形成するために装着面３０に貼付されたステッカー基板から取り外し得る。ステッカー基板は紙、ビニル又はマイラーのような何れか貞節な材料から作り出し得る。ステッカー基板１０及び該基板を作られる材料は適用のために工学的に実行し得る。ステッカー基板１０の表面１２ａは何れのグラフィックが所望されるかによって印刷し得る。裏面１２ｂ、１４ｂ及び１６ｂは、当該分野で周知のように、ブランケット被覆又はパターン化された被覆の何れかで完全に接着剤３２で覆い得る。あるいは、接着剤３２は、フラップ部分１４（又は１６）の裏面１４ｂ（又は１６ｂ）の少なくとも一部と、第１部分１２の裏面１２ｂの第１領域上に塗布し得る。その結果、フラップ部分１４（又は１６）を折り返す際、２つの裏面１４ｂ（又は１６ｂ）又は１２ｂの少なくとも１つ上の接着剤３２はフラップ部分１４（又は１６）を第１部分１２につなぐ。接着剤３２は、ステッカー基板１０が装着面３０に接着されることを可能にするように第１部分１２の裏面１２ｂの第２領域の少なくとも一部に貼付されることも有利である。しかしながら、図１７Ａ−図１７Ｃの実施形態では、接着剤３２は第１部分１２の裏面１２ｂの第２領域から欠き得る。何故なら、ステッカー基板１０はフラップ部分１４の裏面１４ｂ上に露出した接着剤３２によって装着面３０に接着されるからである。しかしながら、製造の容易化のため、ブランケット又はパターン化された接着剤はステッカー基板１０の全裏面に貼付されることが留意される。
【００２７】
本発明をその１つ以上の実施形態によって説明してきており、及び実施形態を非常に詳細に説明してきたが、これらは特許請求の範囲を制限又は何れかの仕方で限定するように意図したものではない。更なる利点及び変更は当業者には容易に思えるであろう。本発明のその広範な局面は、従って、特定の詳細、代表的な装置及び図示し且つ記載した方法及び例示的実施例に限定されない。従って、本発明の全体的な概念の範囲及び精神から逸脱せずにこうした詳細から進展は行い得る。
【図面の簡単な説明】
【００２８】
【図１Ａ】本発明に従ってポケットを形成するために複数のフラップ部分を具備する本発明の接着剤裏付けステッカーの斜視図であり、ポケットを形成する以前のリリース・ライナー上のステッカーを描く斜視図である。
【図１Ｂ】本発明に従ってポケットを形成するために複数のフラップ部分を具備する本発明の接着剤裏付けステッカーの斜視図であり、ポケット形成後のステッカーを描く斜視図である。
【図１Ｃ】本発明に従ってポケットを形成するために複数のフラップ部分を具備する本発明の接着剤裏付けステッカーの斜視図であり、装着面に貼付され、かつポケット内に挿入された物体を具備する図１Ｂの線１Ｃ−１Ｃで切断して描く斜視図である。
【図２Ａ】ステッカーの周辺で形成可能なポケットを具備する、本発明の実施形態の斜視図であり、ポケットを形成する前のステッカーを描く斜視図である。
【図２Ｂ】ステッカーの周辺で形成可能なポケットを具備する、本発明の実施形態の斜視図であり、ポケットを形成した後のステッカーを描く斜視図である。
【図２Ｃ】ステッカーの周辺で形成可能なポケットを具備する平面図であり、装着面に接着されたステッカー及びポケット内に挿入された物体を更に描く平面図である。
【図３】例えば、写真又は類似の材料のためのステッカーの周辺内に形成された対向するポケットを具備する本発明の実施形態の斜視図である。
【図４】例えば、カレンダーページに使用するステッカーの周辺内に形成された複数のポケットを具備する本発明の別の実施形態の斜視図である。
【図５】装飾髪止めピンのための本発明のステッカー・キットの斜視図である。
【図６】服に貼付するためのアイロン付織物ステッカーに対する本発明のステッカー・キットの斜視図である。
【図７Ａ】接着剤裏付ステッカーの周辺内に形成された複数のポケット内に挿入可能な一部を具備する物体を備えるスッテカー・キットを描く斜視図である。
【図７Ｂ】図７Ａのキットで使用する３次元物体の横断面図である。
【図８Ａ】教育用途のための、本発明のステッカー・キットの斜視図である。
【図８Ｂ】教育用途のための、本発明のステッカー・キットの斜視図である。
【図９】内部に形成可能なポケットを具備する一対のステッカーを具備する本発明のステッカー・キットの斜視図である。
【図１０】物体を吊るす、本発明のステッカーを使用する斜視図である。
【図１１】物体を吊るす、本発明のステッカー・キットの斜視図である。
【図１２】支持体の片持ち支持に使用する、本発明のステッカー・キットの斜視図である。
【図１３】面を別の面に直角に装着する、本発明のステッカー・キットの斜視図である。
【図１４】物体をステッカーの周辺を超えて延在させるための、本発明のステッカー・キットの斜視図である。
【図１５】鉛直に配向された物品を壁に固定する、本発明のステッカーの斜視図である。
【図１６Ａ】貫通ポケットを具備する、本発明のステッカーの斜視図である。
【図１６Ｂ】貫通ポケットを具備する、本発明のステッカーの斜視図である。
【図１７Ａ】２つの貫通ポケットと、物体をこれらのポケット固着するための露出した接着面と、を具備する本発明のステッカーの斜視図である。
【図１７Ｂ】２つの貫通ポケットと、物体をこれらのポケット固着するための露出した接着面と、を具備する本発明のステッカーの斜視図である。
【図１７Ｃ】２つの貫通ポケットと、物体をこれらのポケット固着するための露出した接着面と、を具備する本発明のステッカーの斜視図である。
【符号の説明】
【００２９】
１０  ステッカー基板
１２  第１部分
１２ａ  表面
１２ｂ  裏面
１４、１６  フラップ部分
１４ａ  表面
１４ｂ  裏面
１６ａ  表面
１６ｂ  裏面
１８  折れ目線
１９  ダイカット線
１９ａ  エッジ
２０  全周辺
２１  エッジ
２２、２４  ポケット
２３  周辺
２５  周辺
２８  インサート
３０  装着面
３０ａ、３０ｂ  装着面
３２  接着剤
３４  物体
３６  寸法づけられた部分
３６ａ、３６ｂ  端部部分
３８  物品
３８ａ  裏面
３９  リップ
４０  貫通ポケット
４２  リリース・ライナー
【図１Ａ】
2006528792.tif 000003
【図１Ｂ】
2006528792.tif 000004
【図１Ｃ】
2006528792.tif 000005
【図２Ａ】
2006528792.tif 000006
【図２Ｂ】
2006528792.tif 000007
【図２Ｃ】
2006528792.tif 000008
【図３】
2006528792.tif 000009
【図４】
2006528792.tif 000010
【図５】
2006528792.tif 000011
【図６】
2006528792.tif 000012
【図７Ａ】
2006528792.tif 000013
【図７Ｂ】
2006528792.tif 000014
【図８Ａ】
2006528792.tif 000015
【図８Ｂ】
2006528792.tif 000016
【図９】
2006528792.tif 000017
【図１０】
2006528792.tif 000018
【図１１】
2006528792.tif 000019
【図１２】
2006528792.tif 000020
【図１３】
2006528792.tif 000021
【図１４】
2006528792.tif 000022
【図１５】
2006528792.tif 000023
【図１６Ａ】
2006528792.tif 000024
【図１６Ｂ】
2006528792.tif 000025
【図１７Ａ】
2006528792.tif 000026
【図１７Ｂ】
2006528792.tif 000027
【図１７Ｃ】
2006528792.tif 000028
【手続補正書】
【提出日】平成17年8月12日(2005.8.12)
【手続補正１】
【補正対象書類名】特許請求の範囲
【補正対象項目名】全文
【補正方法】変更
【補正の内容】
【特許請求の範囲】
【請求項１】
装着表面（３０）に接着し、かつ該装着表面にポケット（２２、２４）を形成する、接着剤裏付けステッカー（１０）であって、
第１部分（１２）と少なくとも１つのフラップ部分（１４、１６）と、を具備するステッカー基板（１０）であって、前記第１部分（１２）と前記フラップ部分（１４、１６）の各々は表面（１２ａ、１４ａ、１６ａ）及び裏面（１２ｂ、１４ｂ、１６ｂ）を具備し、前記ステッカー（１０）は、前記第１部分（１２）と少なくとも１つの前記フラップ部分（１４、１６）との間の折り目線（１８）と、
前記ステッカー基板（１０）の少なくとも一部を装着面（３０）に接着するための接着剤（３２）を含む前記裏面（１２ｂ、１４ｂ、１６ｂ）の各々と、を備え、
少なくとも１つの前記フラップ部分（１４、１６）は該フラップ部分（１４、１６）の裏面（１４ｂ、１６ｂ）を前記第１部分（１２）の裏面（１２ｂ）に接着し、かつ、これにより、前記ステッカー基板（１０）と前記装着面（３０）との間に、フラップ部分（１４、１６）の少なくとも一部と斉合するポケット（２２、４４）を形成するために前記折り目線（１８）で折り曲げ可能であることを特徴とする接着剤裏付けステッカー。
【請求項２】
前記折り目線（１８）は前記第１部分（１２）の周辺（２０）内にあり、少なくとも１つの前記フラップ部分（１４、１６）は前記折り目線（１８）及びダイカット線（１９）によって画定されることを特徴とする、請求項１のステッカー。
【請求項３】
複数の前記フラップ部分（１６）を備える、請求項２のステッカー。
【請求項４】
少なくとも１つの前記フラップ部分（１６）は前記第１部分（１２）の周辺（２０）内に全体的に位置する、請求項２のステッカー。
【請求項５】
前記フラップ部分（１６）を前記折り目線（１８）に沿って折り曲げる際、前記第１部分（１２）の周辺（２０）内に空隙が形成され、
前記ステッカー（１０）は前記空隙を充填するように寸法づけられたステッカー・インサート（２８）を更に備える、請求項４のステッカー。
【請求項６】
少なくとも１つの前記フラップ部分（１６）は、前記第１部分（１２）の周辺（２０）内に位置する第１対向フラップ部分（１６）対を含み、
各々はそれぞれの前記折り目線（１８）から前記対の他のフラップ部分（１６）と反対の方向に延在し、これにより、物体（３４）の対向する端部を受容するために前記ステッカー基板（１０）を前記装着面（３０）に接着する際、対向するポケット（３４）が形成される、請求項４のステッカー。
【請求項７】
前記第１部分（１２）の周辺（２０）内に位置する第２対向フラップ部分（１６）対を更に備え、
各々はそれぞれの前記折り目線（１８）から前記対の他のフラップ部分（１６）と反対の方向に延在し、
前記第１及び第２対は、前記ステッカー基板（１０）を前記装着面（３０）に接着する際、四辺形物体から成るそれぞれの対向する到来部を受容するように位置づけられる、請求項６のステッカー。
【請求項８】
前記接着剤（３２）は前記ステッカー（１０）を前記装着面（３０）に永久接着するように構成された永久接着剤である、請求項２のステッカー。
【請求項９】
前記接着剤（３２）は熱で活性化される、請求項８のステッカー。
【請求項１０】
前記接着剤（３２）は前記ステッカー（１０）を前記装着面（３０）に解放可能に接着するように構成される非永続接着剤である、請求項２のステッカー。
【請求項１１】
前記ステッカー基板（１０）はリリース・ライナー（４２）に解放可能に接着される、請求項２のステッカー。
【請求項１２】
請求項２の接着剤裏付けステッカー（１０）と、前記ステッカー基板（１０）を前記装着面（３０）に接着する際に、前記ステッカー基板（１０）と前記装着面（３０）との間の前記ポケット（２４）によって着脱自在に受容されるように寸法づけられた少なくともその一部を有する少なくとも１つの物体（３４）と、を備えるステッカー・キット。
【請求項１３】
前記物体（３４）は前記ポケット（２４）によって着脱自在に受容されるように構成される非接着性物体である、請求項１２のステッカー・キット。
【請求項１４】
少なくとも１つの前記フラップ部分（１６）は複数のポケット（２４）を構成する複数のフラップ部分（１６）を含み、複数の前記ポケット（２４）によって着脱自在に受容されるように寸法づけられた複数の前記非接着性物体（３４）を更に備える、請求項１３のステッカー・キット。
【請求項１５】
前記非接着性物体（３４）は別の物体（３８）を受容する手段（３７）を含む、請求項１３のステッカー・キット。
【請求項１６】
別の物体（３４）を受容する前記手段（３７）はスロット又はフックである、請求項１５のステッカー・キット。
【請求項１７】
接着剤裏付けステッカー（１０）対と、前記ステッカー基板（１０）を前記第１及び第２装着面（３０）に接着する際、前記ステッカー基板（１０）と前記装着面（３０）との間に形成された前記ポケット（２４）によって受容されるように寸法づけられた、対向する端部部分（３６ａ、３６ｂ）を具備する少なくとも１つの非接着性物体（３４）と、を備えるステッカー・キット。
【請求項１８】
対向する前記端部部分（３６ａ、３６ｂ）は鉛直方向に延在し、これにより、前記キットは、前記物体（３４）が前記第１装着面（３０ａ）を前記第２装着面（３０ｂ）に対して直角に支持するようにこれらの装着面間に延在するように構成された状態で、前記ステッカー（１０）をそれぞれの鉛直な第１及び第２装着面（３０ａ、３０ｂ）に接着するように構成される、請求項１７のステッカー・キット。
【請求項１９】
第１接着面及び該第１接着面からの突出部（３６）を備え、
前記突出部（３６）は前記ポケット（２４）によって受容されるように寸法づけられた前記一部であり、これにより、別の装着面（３８）に接着する際、前記物体（３４）前記装着面（３０）は接続するように構成された、請求項１２のステッカー・キット。
【請求項２０】
少なくとも１つの前記フラップ部分（１４）は前記第１部分（１２）の周辺（２０）から離れた前記折り目線（１８）から第１長さ方向に延在し、
前記フラップ部分（１４）と前記第１部分（１２）は長さが等しく、
前記第１部分（１２）は前記第１長さ方向に直角な両方向に前記折り目線（１８）を越えて延在し、これにより、前記第１部分（１２）は前記折り目線（１８）で前記フラップ部分（１４）の幅より大きな幅を有し、
前記フラップ部分（１４）を前記折り目線（１８）に沿って折り曲げる際、前記第１部分（１２）は前記第１方向と反対の方向に前記フラップ部分（１４）と同一の広がりがあり、これにより、貫通ポケット（４０）が前記ステッカー基板（１０）と前記装着面との間で前記フラップ部分（１４）と斉合されて形成されることを特徴とする請求項１のステッカー。
【請求項２１】
複数の前記フラップ部分（１６）を備える、請求項２０のステッカー。
【請求項２２】
請求項２０に記載の接着剤裏付けステッカー（１０）と、前記ステッカー基板（１０）を前記装着面（３０）に接着する際、前記ステッカー基板（１０）と前記装着面（３０）との間の前記ポケット（２４）によって着脱自在に受容されるように寸法づけられた、少なくともその一部を具備する少なくとも１つの非接着性物体（３４）と、を備え、これにより、形成された前記ポケットは前記物体の一部がこれを貫通して延在し得る貫通ポケット（４０）である、スッテカー・キット。
【請求項２３】
前記第１部分（１２）とそれぞれの２つのフラップ部分（１４）との間のそれぞれの折り目線（１８）を具備する前記第１部分（１２）の対向する端部に隣接する２つのフラップ部分（１４）を備え、
２つの前記フラップ部分（１４）の各々は前記第１方向（１２）の幅より大きな幅まで延在し、
２つの前記フラップ部分（１４）は２つの該フラップ部分（１４）の裏面（１４ｂ）の一部を前記第１部分（１２）の裏面（１２ｂ）の２つの前記フラップ部分（１４）の各々に接着するためにそれぞれの前記折れ目線（１８）で折り曲げ可能であり、
２つの前記フラップ部分（１４）を前記折り目線（１８）に沿って折り曲げて２つのポケット（４０）を形成する際、
前記ポケット（４０）を越えて延在する２つの前記フラップ部分（１４）の裏面（１４ｂ）は、前記ポケット（４０）間の第１部分（１２）の裏面（１２ｂ）が物体をこれに接着するために露出された状態で、前記装着面（３０）に接着されるように構成され、これにより、形成された前記ポケットは貫通ポケット（４０）であることを特徴とする、請求項１のステッカー。
【手続補正２】
【補正対象書類名】明細書
【補正対象項目名】００２７
【補正方法】変更
【補正の内容】
【００２７】
本発明をその１つ以上の実施形態によって説明してきており、及び実施形態を非常に詳細に説明してきたが、これらは特許請求の範囲を制限又は何れかの仕方で限定するように意図したものではない。更なる利点及び変更は当業者には容易に思えるであろう。本発明のその広範な局面は、従って、特定の詳細、代表的な装置及び図示し且つ記載した方法及び例示的実施例に限定されない。従って、本発明の全体的な概念の範囲から逸脱せずにこうした詳細から進展は行い得る。
【手続補正書】
【提出日】平成18年3月27日(2006.3.27)
【手続補正１】
【補正対象書類名】特許請求の範囲
【補正対象項目名】全文
【補正方法】変更
【補正の内容】
【特許請求の範囲】
【請求項１】
装着面（３０）に接着し、かつ該装着面にポケット（２２、２４）を形成する、接着剤裏付けステッカー（１０）であって、
第１部分（１２）と少なくとも１つのフラップ部分（１４、１６）と、を具備し、前記第１部分（１２）と前記フラップ部分（１４、１６）の各々が表面（１２ａ、１４ａ、１６ａ）及び裏面（１２ｂ、１４ｂ、１６ｂ）を具備するステッカー基板（１０）を備える前記接着剤裏付けステッカー（１０）において、
前記ステッカー（１０）は、
前記第１部分（１２）と少なくとも１つの前記フラップ部分（１４、１６）との間の折れ目線（１８）であって、前記折り目線（１８）は前記第１部分（１２）の周辺（２０）内にあり、少なくとも１つの前記フラップ部分（１６）は前記折り目線（１８）及びダイカット線（１９）によって画定される、前記折れ目線（１８）と、
前記ステッカー基板（１０）の少なくとも一部を装着面（３０）に接着するための接着剤（３２）を含む前記裏面（１２ｂ、１４ｂ、１６ｂ）の各々と、を備え、
少なくとも１つの前記フラップ部分（１４、１６）は該フラップ部分（１４、１６）の裏面（１４ｂ、１６ｂ）を前記第１部分（１２）の裏面（１２ｂ）に接着し、かつ、これにより、前記ステッカー基板（１０）と前記装着面（３０）との間に、前記フラップ部分（１４、１６）の少なくとも一部と斉合するポケット（２２、２４）を形成するために前記折り曲げ線（１８）で折り曲げ可能であることを特徴とする接着剤裏付けステッカー。
【請求項２】
装着面（３０）に接着し、かつ該装着面にポケット（２２、２４）を形成する、接着剤裏付けステッカー（１０）であって、
第１部分（１２）と少なくとも１つのフラップ部分（１４、１６）と、を具備し、前記第１部分（１２）及び前記フラップ部分（１４、１６）の各々が表面（１２ａ、１４ａ、１６ａ）及び裏面（１２ｂ、１４ｂ、１６ｂ）を具備するステッカー基板（１０）を備える、前記接着剤裏付けステッカー（１０）において、
前記第１部分（１２）と少なくとも１つの前記フラップ部分（１４、１６）との間の折れ目線（１８）であって、少なくとも１つの前記フラップ部分（１４）は前記第１部分（１２）の周辺（２０）から離れた前記折れ目線（１８）から第１長さ方向に延在し、前記フラップ部分（１４）と前記第１部分（１２）は長さが等しく、前記第１部分（１２）は前記第１長さ方向に直角な両方向に前記折れ目線（１８）を越えて延在し、これにより、前記第１部分（１２）は前記折れ目線（１８）で前記フラップ部分（１４）の幅より広い幅を有する、前記折れ目線（１８）と、
前記ステッカー基板（１０）の少なくとも一部を装着面（３０）に接着する接着剤（３２）を含む前記裏面（１２ｂ、１４ｂ、１６ｂ）の各々と、を備え、
少なくとも１つの前記フラップ部分（１４、１６）は該フラップ部分（１４、１６）の裏面（１４ｂ、１６ｂ）を前記第１部分（１２）の裏面（１２ｂ）に接着するために前記折れ目線（１８）で折り曲げ可能であり、及び
前記フラップ部分（１４）を前記折り目線（１８）に沿って折り曲げる際、前記第１部分（１２）は前記第１長さ方向と反対の方向に前記フラップ部分（１４）と同一の広がりがあり、これにより、貫通ポケット（４０）が、前記ステッカー基板（１０）と前記装着面（３０）との間で前記フラップ部分（１４）と斉合されて形成されることを特徴とする接着剤裏付けステッカー。
【請求項３】
装着面（３０）に接着し、かつ該装着面にポケット（２２、２４）を形成する、接着剤裏付けステッカー（１０）であって、
第１部分（１２）と２つのフラップ部分（１４）と、を具備し、前記第１部分（１２）及び前記フラップ部分（１４）の各々は表面（１２ａ、１４ａ）及び裏面（１２ｂ、１４ｂ）を具備する、ステッカー基板（１０）を備える前記接着剤裏付けステッカー（１０）において、
前記第１部分（１２）とそれぞれの２つの前記フラップ部分（１４）との間のそれぞれの折れ目線（１８）を具備する前記第１部分（１２）の両端部に隣接する２つのフラップ部分（１４）備え、及び２つの前記フラップ部分（１４）の各々は前記第１部分（１２）の幅より広い幅まで延在し、
前記ステッカー基板（１０）の少なくとも一部を装着面（３０）に接着するための接着剤（３２）を含む前記裏面（１２ｂ、１４ｂ、１６ｂ）の各々と、を備え、
２つの前記フラップ部分（１４）は２つの該フラップ部分（１４）の各々の裏面（１４ｂ）の一部を前記第１部分（１２）の裏面（１２ｂ）に接着し、かつ、これにより、前記ステッカー基板（１０）と前記装着面（３０）との間に、前記フラップ部分（１４）のそれぞれの部分と斉合する２つのポケット（４０）を形成するためにそれぞれの前記折れ目線（１８）で折り曲げ可能であり、及び
２つの前記フラップ部分（１４）をそれぞれの前記折り目線（１８）に沿って折り曲げて２つのポケット（４０）を形成する際、前記ポケット（４０）を越えて延在する２つの前記フラップ部分（１４）の裏面（１４ｂ）は、前記ポケット（４０）間の前記第１部分（１２）の裏面（１２ｂ）が物体を自身に接着するために露出した状態で、前記装着面（３０）に接着されるように構成され、これにより、形成された前記ポケットは貫通ポケット（４０）であることを特徴とする接着剤裏付けステッカー。
【国際調査報告】
2006528792.tif 000029
2006528792.tif 000030